(57)【要約】【課題】ソレノイド自体の構成を変更することなく、可動片の安定した吸着を行うことのできるロック装置の装着方法を提供すること。【解決手段】本発明のロック装置の装着方法は、ボビン１ａ内の吸着面１ｂに可動片１ｃを吸着させるソレノイド１と、可動片１ｃを取り付けるリリースアーム２と、可動片１ｃを吸着面１ｂに吸着させる位置までリリースアーム２を回動させるリセットアーム３と、リセットアーム３を回動させるロックピン４と、リリースアーム２の回動によって変位してロックピン４を係止するロックアーム５とを有し、ソレノイド１にはボビン１ａをビス８によって基台に取り付けるビス孔１ｄを備え、可動片１ｃの動作によってボビン１ａが基台に対して変位するようにビス孔１ｄにビス８を取り付けることを特徴とする。【選択図】        図１
2008165839.tif 000002
【特許請求の範囲】
【請求項１】
ボビン内の吸着面に可動片を吸着させるソレノイドと、前記可動片を取り付けるリリースアームと、前記可動片を前記吸着面に吸着させる位置まで前記リリースアームを回動させるリセットアームと、前記リセットアームを回動させるロックピンと、前記リリースアームの回動によって変位して前記ロックピンを係止するロックアームとを有し、前記ソレノイドには前記ボビンをビスによって基台に取り付けるビス孔を備えたロック装置の装着方法であって、前記可動片の動作によって前記ボビンが前記基台に対して変位するように前記ビス孔に前記ビスを取り付けることを特徴とするロック装置の装着方法。
【請求項２】
前記ビスとして段付きビスを用いたことを特徴とする請求項１に記載のロック装置の装着方法。
【請求項３】
複数の前記ビス孔のうち、一つの前記ビス孔にのみ前記ビスを取り付けたことを特徴とする請求項１に記載のロック装置の装着方法。
【請求項４】
請求項１から請求項３のいずれかに記載の装着方法によってロック装置を取り付けたディスク装置であって、前記ソレノイドを前記基台であるトレイに取り付け、前記ロックピンを前記トレイが挿入されるケーシングに設けたことを特徴とするディスク装置。
【請求項５】
前記ボビンの側方にリブを形成したことを特徴とする請求項４に記載のディスク装置。
【発明の詳細な説明】
【技術分野】
【０００１】
本発明は、特に、ＣＤやＤＶＤなどのディスク状の記録媒体への記録、または再生を行うディスク装置におけるロック装置の装着方法に関する。
【背景技術】
【０００２】
従来のディスク装置におけるロック機構には、モータを使用することが一般的であったが、コストダウンを図るために、モータの代わりにソレノイド機構を使用することが多くなってきた。
【発明の開示】
【発明が解決しようとする課題】
【０００３】
ソレノイドを使用する場合には、ロック機構を比較的簡単にできるが、機構の構成によっては、ボビンに対して可動片を平行に挿入することができない場合がある。
可動片がボビンに対して平行に挿入されない場合には、可動片がボビン内の吸着面に完全に吸着されない場合が生じ、少しの衝撃によってロックが外れてしまうという問題を有していた。
【０００４】
そこで本発明は、ソレノイド自体の構成を変更することなく、可動片の安定した吸着を行うことのできるロック装置の装着方法を提供することを目的とする。
【課題を解決するための手段】
【０００５】
請求項１記載の本発明のロック装置の装着方法は、ボビン内の吸着面に可動片を吸着させるソレノイドと、前記可動片を取り付けるリリースアームと、前記可動片を前記吸着面に吸着させる位置まで前記リリースアームを回動させるリセットアームと、前記リセットアームを回動させるロックピンと、前記リリースアームの回動によって変位して前記ロックピンを係止するロックアームとを有し、前記ソレノイドには前記ボビンをビスによって基台に取り付けるビス孔を備えたロック装置の装着方法であって、前記可動片の動作によって前記ボビンが前記基台に対して変位するように前記ビス孔に前記ビスを取り付けることを特徴とする。
請求項２記載の本発明は、請求項１に記載のロック装置の装着方法において、前記ビスとして段付きビスを用いたことを特徴とする。
請求項３記載の本発明は、請求項１に記載のロック装置の装着方法において、複数の前記ビス孔のうち、一つの前記ビス孔にのみ前記ビスを取り付けたことを特徴とする。
請求項４記載の本発明のディスク装置は、請求項１から請求項３のいずれかに記載の装着方法によってロック装置を取り付けたディスク装置であって、前記ソレノイドを前記基台であるトレイに取り付け、前記ロックピンを前記トレイが挿入されるケーシングに設けたことを特徴とする。
請求項５記載の本発明は、請求項４に記載のディスク装置において、前記ボビンの側方にリブを形成したことを特徴とする。
【発明の効果】
【０００６】
本発明によれば、可動片がボビンに対して斜めに挿入された場合でもボビンの角度を変更でき、可動片をボビン内の吸着面に安定して吸着させることができる。
【発明を実施するための最良の形態】
【０００７】
本発明の第１の実施の形態によるロック装置の装着方法は、可動片の動作によってボビンが基台に対して変位するようにビス孔にビスを取り付けるものである。本実施の形態によれば、可動片がボビンに対して斜めに挿入された場合でもボビンの角度を変更でき、可動片をボビン内の吸着面に安定して吸着させることができる。
本発明の第２の実施の形態は、第１の実施の形態によるロック装置の装着方法において、ビスとして段付きビスを用いたものである。本実施の形態によれば、段付きビスを用いることで、ビスとビス孔との間に間隙を形成することができるので、ボビンを基台に対して変位させることができる。
本発明の第３の実施の形態は、第１の実施の形態によるロック装置の装着方法において、複数のビス孔のうち、一つのビス孔にのみビスを取り付けたものである。本実施の形態によれば、一つのビス孔にのみビスを取り付けることでボビンを基台に対して変位させることができる。
本発明の第４の実施の形態によるディスク装置は、第１から第３のいずれかの実施の形態による装着方法によってロック装置を取り付けたディスク装置であって、ソレノイドを基台であるトレイに取り付け、ロックピンをトレイが挿入されるケーシングに設けたものである。本実施の形態によれば、トレイの安定したロック機構を提供できる。
本発明の第５の実施の形態は、第４の実施の形態によるディスク装置において、ボビンの側方にリブを形成したものである。本実施の形態によれば、ボビンの変位量を、所定の範囲内に規制することで、必要以上に変位することで可動片が挿入されなくなることを防止することができる。
【実施例１】
【０００８】
以下本発明の一実施例によるロック装置について説明する。
図１は本実施例によるロック装置の要部平面図、図２は同装置のロック状態を示す要部平面図、図３は同装置の要部側断面図である。
本実施例によるロック装置は、ボビン１ａ内の吸着面１ｂに可動片１ｃを吸着させるソレノイド１と、可動片１ｃを取り付けるリリースアーム２と、リリースアーム２を回動させるリセットアーム３と、リセットアーム３を回動させるロックピン４と、リリースアーム２の回動によって変位してロックピン４を係止するロックアーム５とを有している。
【０００９】
ソレノイド１には、ボビン１ａを基台に取り付けるビス孔１ｄを備えている。可動片１ｃは、Ｕ字状に形成され、２本の吸着突起と、リリースアーム２との係合孔を備えている。ボビン１ａは、可動片１ｃの吸着突起が挿入される２つの筒状空間で形成され、この筒状空間内に吸着面１ｂを有している。ソレノイド１は、一端側にボビン１ａの開口部が形成され、他端側にビス孔１ｄが形成されている。
リリースアーム２は、基台に回動自在に取り付ける回動軸２ａと、可動片１ｃを取り付ける第１の腕２ｂと、リセットアーム３によって押圧される第２の腕２ｃと、ロックアーム５の回動を規制する第３の腕２ｄとを備えている。第１の腕２ｂ、第２の腕２ｃ、及び第３の腕２ｄは、回動軸２ａを中心にして回動自在に取り付けられており、第１の腕２ｂ、第２の腕２ｃ、及び第３の腕２ｄは、常に同一角度に保たれている。なお、第１の腕２ｂには、弾性部材６と係合する係合部２ｅを有している。この弾性部材６は、可動片１ｃを吸着面１ｂから引き離す方向（回転軸２ａを中心に反時計回りの方向）に付勢している。
リセットアーム３は、基台に回動自在に取り付ける回動軸３ａと、第２の腕２ｃを押圧する第１の突起３ｂと、ロックピン４によって押圧される第２の突起３ｃとを備えている。第１の突起３ｂ及び第２の突起３ｃは、回動軸３ａを中心にして回動自在に取り付けられており、第１の突起３ｂ及び第２の突起３ｄは、常に同一角度に保たれている。
ロックアーム５は、基台に回動自在に取り付ける回動軸５ａと、第３の腕２ｄに当接する第１の突起３ｂと、ロックピン４によって押圧される第２の突起３ｃと、弾性部材７と係合する第３の突起５ｄを備えている。第１の突起５ｂ、第２の突起５ｃ、及び第３の突起５ｄは、回動軸５ａを中心にして回動自在に取り付けられており、第１の突起５ｂ、第２の突起５ｃ、及び第３の突起５ｄは、常に同一角度に保たれている。なお、弾性部材７は、ロックアーム５を、回転軸５ａを中心に反時計回りの方向に付勢している。
【００１０】
図３に示すように、２つのビス孔１ｄには、それぞれ段付きビス８が設けられ、この段付きビス８によってソレノイド１は基台に取り付けられる。この段付きビス８の径は、ビス孔１ｄの内径に対して十分に小さく、可動片１ｃの動作によってソレノイド１が基台に対して変位することができるように装着している。
なお、複数のビス孔１ｄのうち、いずれか一つのビス孔１ｄにのみ段付きビス８を取り付けてもよい。
また、本実施例では段付きビス８を用いて説明したが、ソレノイド１が所定量変位することができれば、通常のビスやピンによって装着してもよい。
【００１１】
次に、本実施例によるロック装置の動作について説明する。
まず、図１に示す状態において、ロックピン４がリセットアーム３に近接し、第２の突起３ｃを押圧する。第２の突起３ｃがロックピン４によって変位することで、リセットアーム３は回転軸３ａを中心として反時計回りに回動する。リセットアーム３のこの回動によって第１の突起３ｂは、第２の腕２ｃを変位させる。第２の腕２ｃの変位によってリリースアーム２は回転軸２ａを中心として時計回りに回動する。リリースアーム２のこの回動によって、第１の腕２ｂと第３の腕２ｄは、時計回りに回動する。第１の腕２ｂの回動によって可動片１ｃは、ボビン１ａ内に導かれ、可動片１ｃは吸着面１ｂに吸着される。このとき、可動片１ｃとボビン１ａとの方向が一致せず、可動片１ｃがボビン１ａに接触すると、その接触によってソレノイド１が変位するので、ボビン１ａの方向を、可動片１ｃの移動方向に一致させることができる。
一方、ロックアーム５は、弾性部材７によって回動軸５ａを中心に反時計回りに常に付勢されているため、第３の腕２ｄの時計回りの方向の回動によって、第１の突起５ｂは反時計回りの方向に回動する。そして、ロックアーム５は、第２の突起５ｃによってロックピン４を係止する。図２はこの状態を示している。
【００１２】
ロック解除は、可動片１ｃの吸着面１ｂへの吸着を解除することで行われる。可動片１ｃが吸着面１ｂから離脱することで、弾性部材６の付勢力によって第１の腕２ｂは反時計回りの方向に回動する。すわなち、弾性部材６の付勢力によってリリースアーム２は、回転軸２ａを中心に反時計回りに回動する。従って、第３の腕２ｄの回動によってロックアーム５を時計回りの方向に回動させるので、ロックピン４は第２の突起５ｃから解除される。ロックピン４が解除されることで、図１に示す状態に復帰する。
【実施例２】
【００１３】
次に他の実施例によるロック装置を図４に示す。図４は、本実施例によるロック装置の要部平面図であり、図１相当図である。なお、図１と同一部材には同一符号を付して説明を省略する。また、以下の説明においては、図１の実施例と相違する点だけを説明し、基本的な動作は、上記実施例と同様であるので説明を省略する。
本実施例においては、ボビン１ａの両側方にリブ８ａ、８ｂを形成している。本実施例では、ボビン１ａの変位量、すなわちソレノイド１の変位を、リブ８ａ、８ｂによって所定の範囲内に規制することで、必要以上にボビン１ａが変位することで可動片１ｂがボビン１ａ内に挿入されなくなることを防止することができる。
可動片１ｂの傾き最大角度が４度である場合には、リブ８ａ、８ｂによるボビン１ａの傾き角度を４〜５度に規制することが好ましい。
【００１４】
図５及び図６に本実施例によるロック装置を装着したディスク装置について説明する。図５は本実施例によるディスク装置のトレイ引出時を示す要部平面図、図６はトレイが装置本体内に引き込まれた時を示す要部断面平面図である。
本実施例によるディスク装置は、装置本体（ケーシング）１０に対して、トレイ１１が引き出されるタイプの装置である。トレイ１１には、トラバースユニット１１ａが装着されており、ディスクをこのトラバースユニット１１ａ上に載置する。トラバースユニット１１ａは、スピンドルモータ１１ｂやピックアップ１１ｃを備えている。
本実施例では、トレイ１１がソレノイド１を取り付ける基台となり、ロックピン４をケーシング１０に設けている。
本実施例によれば、ソレノイド１を基台であるトレイ１１に取り付け、ロックピン４をトレイ１１が挿入されるケーシング１０に設けたことで、トレイ１１の安定したロック機構を提供することができる。
【産業上の利用可能性】
【００１５】
本実施例のロック装置の装着方法は、既存のソレノイド機構を利用したロック装置として各種装置に利用することができる。
【図面の簡単な説明】
【００１６】
【図１】本実施例によるロック装置の要部平面図
【図２】同装置のロック状態を示す要部平面図
【図３】同装置の要部側断面図
【図４】他の実施例によるロック装置の要部平面図
【図５】同装置を装着したディスク装置のトレイ引出時を示す要部平面図
【図６】同装置を装着したディスク装置のトレイが装置本体内に引き込まれた時を示す要部断面平面図
【符号の説明】
【００１７】
１  ソレノイド
１ａ  ボビン
１ｂ  吸着面
１ｃ  可動片
１ｄ  ビス孔
２  リリースアーム
３  リセットアーム
４  ロックピン
５  ロックアーム
１０  ケーシング
【図１】
2008165839.tif 000003
【図２】
2008165839.tif 000004
【図３】
2008165839.tif 000005
【図４】
2008165839.tif 000006
【図５】
2008165839.tif 000007
【図６】
2008165839.tif 000008